(57)【特許請求の範囲】
【請求項１】
左右の側面板と、その間に上端側を後傾させて設けられ、下端に前方を向く受板を有する上下複数の支持板同士を、上段の支持板の受板の前端と下段の支持板の上端とを接続するようにして階段状に並設した傾斜棚板と、該傾斜棚板の後方を覆うようにして前記両側面板間に設けられた閉塞部材とを備え、前記両側面板、傾斜棚板、及び閉塞部材により囲まれた内部空間と床面との間に、閉塞空間部が形成された書架において、
前記支持板における下端部側の傾斜棚板の上端部に、上段の傾斜棚板の下端を支持する受板を後向きに固着するとともに、該上段の傾斜棚板の上端部に、それより上段の傾斜棚板における下端の受板の上面と当接可能な受板を後向きに突設し、これらの受板同士を、取外し可能に固定するとともに、前記空間部内における左右の側面板の内側面下部に、床面との固定手段を設けたことを特徴とする書架。
【請求項２】
上段の傾斜棚板の下端を支持する受板の上面に、左右方向を向く凹溝を設け、この凹溝に前記傾斜棚板の下端を着脱可能に嵌合した請求項１に記載の書架。
【請求項３】
空間部内の両側面板の内側面下部に、床面との高さ調整手段を設けた請求項１または２に記載の書架。
【発明の詳細な説明】
【０００１】
【発明の属する技術分野】
本発明は、左右の側面板と、その間に設けた上端側が後傾する階段状の傾斜棚板と、傾斜棚板の後方を覆うようにして両側面板間に接合された閉塞部材とを備え、それらの各部材により囲まれた閉塞空間部内に、床面との固定手段等を設けた書架に関する。
【０００２】
【従来の技術】
従来より、図書館等において児童用の絵本などを展示したりする書架には、例えば図６に示すように、左右の側面板０１との間に、上端側が後傾、又は前傾し階段状に接合した前後１対の傾斜棚板０１２，０１３，０１４が山形に背中合わせに結合して傾斜棚０１１を構成した構造。
【０００３】
このような書架０Ｓにおいて、地震の発生時等に、それが転倒したり移動したりするのを防止するために、床面０１６に固定したいという要求がある。これを簡単に行うための固定手段としては、側面板０１の外面下部にＬ字状の固定金具０５を取付け、これをボルト０６により床面０１６に固定することが考えられる。
【０００４】
【発明が解決しようとする課題】
しかしながら、上述のような固定方法では、固定金具０５が外部に露出して体裁が悪いだけでなく、児童等が足を引っ掛けて転倒するなどの恐れがある。
【０００５】
これを防止するためには、固定金具０５等を両側面板０１と前後の傾斜棚板０１２，０１３，０１４と、中央閉塞板０２や幅木０４等の閉塞部材により囲まれた空間部内に設けることも考えられるが、上記空間部は床面０１６とに閉塞空間となっているため、書架０Ｓの設置後において固定金具０５を用いた固定作業を行うことはできない。
【０００６】
また、傾斜棚０１１を構成している傾斜棚板０１２，０１３，０１４のいずれかを取り外して開口部を形成し、その部分より手を挿入して固定作業を行うことも考えられるが、傾斜棚０１１の両端部は、複数のダボ等により側面板０１に形成されたダボ凹部に嵌合固定されているので、傾斜棚０１１の一部のみを取り外すことはできない。
【０００７】
本発明は、このような問題点に着目してなされたもので、左右の側面板と傾斜棚板及び他の閉塞部材とにより囲まれた内部の閉塞空間部内に固定手段等を設け、これを外部より操作して床面に固定し得るようにすることにより、体裁や安全性を向上させることができるようにした書架を提供することを目的とする。
【０００８】
【課題を解決するための手段】
上記課題を解決するために、本発明の書架は、左右の側面板と、その間に上端側を後傾させて設けられ、下端に前方を向く受板を有する上下複数の支持板同士を、上段の支持板の受板の前端と下段の支持板の上端とを接続するようにして階段状に並設した傾斜棚板と、該傾斜棚板の後方を覆うようにして前記両側面板間に設けられた閉塞部材とを備え、前記両側面板、傾斜棚板、及び閉塞部材により囲まれた内部空間と床面との間に、閉塞空間部が形成された書架において、
前記支持板における下端部側の傾斜棚板の上端部に、上段の傾斜棚板の下端を支持する受板を後向きに固着するとともに、該上段の傾斜棚板の上端部に、それより上段の傾斜棚板における下端の受板の上面と当接可能な受板を後向きに突設し、これらの受板同士を、取外し可能に固定するとともに、前記空間部内における左右の側面板の内側面下部に、床面との固定手段を設けたことを特徴としている。
この特徴によれば、一部の傾斜棚板を取り外して開口部を形成することにより、閉塞空間部内に設けた固定手段を外部に露出させることなく、体裁よくかつ安全に床面に固定することができる。
【０００９】
本発明の書架は、上段の傾斜棚板の下端を支持する受板の上面に、左右方向を向く凹溝を設け、この凹溝に前記傾斜棚板の下端を着脱可能に嵌合したことが好ましい。
このようにすれば、取外し可能な傾斜棚板の下端が凹溝内に嵌合されているため、安定的に保持される。
【００１０】
本発明の書架は、空間部内の両側面板の内側面下部に、床面との高さ調整手段を設けたことが好ましい。
このようにすれば、高さ調節手段も外部に露出させずに、その操作を一部の傾斜棚板を取り外して容易に行うことができる。
【００１１】
【発明の実施の形態】
以下、本発明の実施例を図面に基づいて説明する。
【００１２】
図１に示される本発明が適用された書架Ｓは、学校や図書館等において児童用書架として利用される書架であり、左右の両側面板１，１と、この側面板１，１間の中央部同士を結合している中央閉塞板２と、該中央閉塞板２の前後面側に、上端側を後傾させるとともに、上下方向に階段状に設けられる上段傾斜棚板１２、中段傾斜棚板１３、下段傾斜棚板１４からなる傾斜棚と、下段傾斜棚板１４の下端と床面との間に設けられる幅木４と、を備えている。
【００１３】
これら上段傾斜棚板１２と下段傾斜棚１４及び中央閉塞板２や幅木４は、例えばそれぞれの両側面から外方に向けて突設したダボピン（図示略）等を、両側面板１，１に形成された孔部（図示略）に接着剤等を塗布した状態で嵌合することにより結合されている。なお、中段傾斜棚１３は、後述するように上下の傾斜棚板１２、１４に対して取り外し自在に取り付けられている。
【００１４】
各上、中、下段の傾斜棚板１２，１３，１４及び幅木４は、図３（ａ）に示されるように中央閉塞板２を挟んで両側対称にそれぞれ設けられ、書架Ｓの前後側から書籍を収納出来るようになっており、該傾斜棚板１２，１３，１４を利用して書籍を展示したり、児童達に紙芝居や本の朗読などを行えるようになっている。
【００１５】
そして書架Ｓ内部には、前記両側面板１，１、上、中、下段の傾斜棚板１２，１３，１４、及び閉塞部材としての中央閉塞板２や幅木４により囲まれた閉塞空間部１０が形成されている（図２，図３（ａ）参照）。
【００１６】
次に、前記部分断面上面図である図２と、図２のＡ−Ａ線の断面図を示す図３を併せ用いて、傾斜棚の構造を詳述すると、上端側に位置する上段傾斜棚板１２は、上端を中央閉塞板２に当接するように傾斜状に設けられる上段支持板１２ｃと、この上段支持板１２ｃの下端部前面に前向きに固着される下部受板１２ａとからなる。下部受板１２ａには、後述するように中段傾斜棚板１３のボルト６を挿通可能であるとともに、下部にこのボルト６に螺合するナット１５を収容可能な大径の凹部を有する挿通孔１２ａ’が、長手方向の両端側の例えば２カ所に形成されている。
【００１７】
中段に位置する中段傾斜棚板１３は、傾斜状に設けられる中段支持板１３ｃと、この中段支持板１３ｃの後面における上端部の若干下方位置に後向きに固着される上部受板１３ａとからなる。この上部受板１３ａには、前記ボルト６を挿通可能であるとともに、上部にボルト６の頭部を収容可能な大径の凹部部を有する挿通孔１３ａ’が、下部受板１２ａに形成された挿通孔１２ａ’に対応する箇所にそれぞれ形成されている。また、中段支持板１３ｃの下端には凸条１３ｂが長手方向に形成されている。
【００１８】
下段に位置する下段傾斜棚板１４は、下段支持板１４ｃと、この下段支持板１４ｃの後面における上端部の若干下方位置に後向きに固着される上部受板１４ａと、下段支持板１４ｃの下端面に固着される前後方向を向く下段受板３と、からなる。なお、この下段受板３の前端には、この下段受板３の上面から先端が上方に突出する係止片３ａが固着されている。また、上部受板１４ａの上面には、書架Ｓの長さ方向を向く凹溝１４ｂが形成されている。
【００１９】
このように書架Ｓは、傾斜棚板１２，１３，１４を組み付けた状態において、それぞれの受板１３ａ、１４ａ、３の先端に上方に若干突出する係止部が形成されるため、傾斜棚の各傾斜棚板１２，１３，１４に立て掛けるように載置される書籍類が滑落しないようになっている。
【００２０】
また、中段傾斜棚板１３は、図３（ｂ）に示されるように、中段支持板１３ｃ下端に形成される凸条１３ｂを、下段支持板１４ｃの上部受板１４ａの凹溝１４ｂに嵌め込むとともに、上段支持板１２ｃの下部受板１２ａの上面に中段支持板１３ｃの上部受板１３ａの下面を当接させるように載置した後、下部受板１２ａに形成された挿通孔１３ａ’内にボルト６を上方から挿通し、上部受板１２ａの挿通孔１２ａ’内に挿通されたボルト６の下端に、ナット１５を螺入して締め付けることで、下段傾斜棚板１４と上段傾斜棚板１２との間に固定することができる。
【００２１】
したがって中段支持板１３ｃは、図３（ａ）に示されるように、ボルト６を緩めてナット１５から抜き取れば、書架Ｓから容易に取り外すことができるとともに、これにより上段支持板１２ｃと下段支持板１４ｃの間に開口部１７を形成することが出来るようになっている。
【００２２】
なお、中段傾斜棚板１３は上部受板１３ａの下端面が下部受板１２ａの上面に載置されボルト６により固定され、中段支持板１３ｃの下端が上部受板１４ａの上面に形成された凹溝１４ｂへ嵌合する構造になっているので安定的に保持されるとともに、利用者は中段傾斜棚板１３を容易に取付け又は取外し作業が効率よく行える。しかも本類が複数載置され中段傾斜棚板１３に重量が負荷された場合においても、しっかりと支持することができる。
【００２３】
閉塞空間部１０内における左右の両側板１，１の内側面下部には、図２，図３（ａ），図４（ａ）（ｂ）に示されるように、床面１６との固定手段としての略Ｌ字状の固定金具５の一端がビス７により固定されている。固定金具５は、両側板１，１の内側面下部における開口部１７の近傍にそれぞれ設けられており、それぞれの固定金具５の他端部にビス７を挿通して床面１６にねじ込むことにより、側面板１を床面１６に対して固定できるようになっている。これにより書架Ｓの転倒が防止されるため、児童等が怪我を負う恐れがなく、安全性の面においても効果がある。
【００２４】
また、両側板１，１の内側面下部における固定金具５の近傍には、床面１６に対する高さ調節用の調節手段としてのアジャスタ８がそれぞれ設けられている。詳しくはこのアジャスタ８は、側板１の内面及び幅木４の内面にビス１７を介して固定された取付け金具８ａと、この取付け金具８ａに形成された上下方向を向くネジ孔に螺入自在なネジ棒９ａを有する設置部材９と、から構成され、設置部材９を軸心周りに正逆回転させて取付け金具８ａに対する設置部材９の位置を調節することにより、床面１６に対する書架Ｓの高さを調節出来るようになっている。
【００２５】
このように構成される書架Ｓを、転倒を防止するために床面１６に対して固定する場合、前述したように上部傾斜棚板１２と締結するためのボルト６を取り外すことにより、中段傾斜棚板１３を書架Ｓから取り外せば、閉塞空間部１０の一部が開口部１７を介して開口することになるため、書架Ｓを床面１６に設置した状態においても、側板１の内面下部と床面１６とを固定手段としての固定金具５を介して固定する作業を、開口部１７を通して行うことが出来る。したがって、固定手段としての固定金具５を外部に露出させることなく、容易に体裁よくかつ安全に床面１６へ固定することができる。
【００２６】
また、閉塞空間部１０内における開口部１７の近傍に高さ調節手段としてのアジャスタ８が設けられているため、開口部１７から手を挿入すれば、設置部材９の回転操作、すなわち高さ調節操作を容易に行うことが出来る。
【００２７】
さらに、書架Ｓを設置して前述のような方法にて床面１６に固定した後においては、中段傾斜棚板１３で開口部１７を閉塞するので、固定金具５やアジャスタ８が外部に露出しないので、書籍の収納の邪魔になることがないばかりか体裁がよく、安全に床面１６に書架Ｓを固定することができ、設置後において高さ調節等のメンテナンスやレイアウト変更を行うような場合には、閉塞した中段傾斜棚板１３を取り外すことにより、開口部１７を通して閉塞空間部１０内の固定金具５の取付け又は取外しや、アジャスタ８の調節操作を行えるため、メンテナンス性にも優れている。
【００２８】
以上、本発明の実施例を図面により説明してきたが、具体的な構成はこれら実施例に限られるものではなく、本発明の要旨を逸脱しない範囲における変更や追加があっても本発明に含まれる。
【００２９】
例えば取り外し可能とする傾斜棚板の位置は上記実施例のように上下の傾斜棚板間に設けられる中段の傾斜棚板に限定されるものでなく、図５に示される書架Ｓのように、傾斜棚板が上段傾斜棚板１２と下段傾斜棚板１３とからなる二段の傾斜棚板で構成されたもの等においては、図のようにその下段の傾斜棚板１３を取外し可能に取り付ければよい。
【００３０】
また、本実施例の書架Ｓは、中央閉塞板２を挟んで前後側に傾斜棚が設けられており、前後両側に書籍を収納可能に構成されているが、言うまでもなく、いずれか一方側に傾斜棚が設けられて書籍を収納できるタイプの書架であってもよい。
【００３１】
また、傾斜棚板１２，１３，１４や開口部１７の形状や大きさ等は種々に変形可能であり、実施例に記載したものに限定されるものではない。
【００３２】
【発明の効果】
本発明は以下の効果を奏する。
【００３３】
（ａ）請求項１項の発明によれば、一部の傾斜棚板を取り外して開口部を形成することにより、閉塞空間部内に設けた固定手段を外部に露出させることなく、体裁よくかつ安全に床面に固定することができる。
【００３４】
（ｂ）請求項２項の発明によれば、取外し可能な傾斜棚板の下端が凹溝内に嵌合されているため、安定的に保持される。
【００３５】
（ｃ）請求項３項の発明によれば、高さ調節手段も外部に露出させずに、その操作を一部の傾斜棚板を取り外して容易に行うことができる。
【図面の簡単な説明】
【図１】本発明を適用した書架の斜視図である。
【図２】書架の部分断面上面図である。
【図３】（ａ）Ａ−Ａ線の断面図である。
（ｂ）Ａ−Ａ線の部分拡大断面図である。
【図４】（ａ）Ｂ−Ｂ線の断面図である。
（ｂ）Ｂ−Ｂ線の部分拡大斜視図である。
【図５】本発明を適用した書架の変形例である。
【図６】従来例である書架の斜視図である。
【符号の説明】
１          側面板
２          中央閉塞板（閉塞部材）
３          下段受板（閉塞部材）
３ａ      係止片
３ｂ      凹溝
４          幅木（閉塞部材）
５          固定金具（固定手段）
６          ボルト
７          ビス
８          アジャスタ
８ａ      取付け金具
９          設置部材
９ａ      ネジ棒
１０        閉塞空間部
１１        傾斜棚
１２        上段傾斜棚板
１２ａ    下部受板
１２ａ’  挿通孔
１２ｃ    上段支持板
１３        中段傾斜棚板
１３ａ    上部受板
１３ａ’  挿通孔
１３ｂ    凸条
１３ｃ    中段支持板
１４        下段傾斜棚板
１４ａ    上部受板
１４ｂ    凹溝
１４ｃ    下段支持板
１５        ナット
１６        床面
１７        開口部
Ｓ          書架
【図１】
0004593829.tif 000002
【図２】
0004593829.tif 000003
【図３】
0004593829.tif 000004
【図４】
0004593829.tif 000005
【図５】
0004593829.tif 000006
【図６】
0004593829.tif 000007